(57)【要約】【課題】  凾体の交差する目地部に対して止水性能が低下しない目地用止水継手を提供する。【解決手段】  シート体１５はその中央部から十字方向に伸びる第１のシート部１８、第２のシート部２０、第３のシート部２２及び第４のシート部２４から構成されるシート体１５と、シート体１５の中央部を上方から覆うように取付けられる箱体１６とから構成されている。第１のシート部１８は可撓性及び水密性を有する材料より構成され、その中央部に長手方向に伸びる断面逆Ｕ字形状に撓んだ第１の凸部１９が形成されている。第１の凸部１９と、同様に構成された第２の凸部２１、第３の凸部２３及び第４の凸部２５の各々とはその中央部において互いに接続されず所定間隔を保っている。箱体１６は可撓性及び水密性を有し、その側壁部及びフランジ部３０を第１の凸部１９等の端部に沿うように変形させた状態で第１のシート部１８等に接着させる。【選択図】      図２ 
2005133453.tif 000002
【特許請求の範囲】
【請求項１】
凾体において交差する目地部を塞ぐための目地用止水継手であって、
可撓性及び水密性を有し、第１の水平方向に伸びると共に、前記第１の水平方向に直交する水平方向に伸縮自在なシート形状の第１のシート部と、
可撓性及び水密性を有し、前記第１のシート部の一方端にその一方端が接続され、前記第１の水平方向とは直交する第２の水平方向に伸びると共に、前記第２の水平方向に直交する水平方向に伸縮自在なシート形状の第２のシート部と、
可撓性及び水密性を有し、前記第２のシート部の前記一方端にその一方端が接続され、前記第２の水平方向と直交する第３の水平方向に伸びると共に、前記第１のシート部の伸びる方向の延長上に位置し、前記第３の水平方向に直交する方向に伸縮自在なシート形状の第３のシート部と、
可撓性及び水密性を有し、前記第１のシート部、前記第２のシート部及び前記第３のシート部の各々の接続個所を覆うようにこれらに水密状態で接続され、前記第１の水平方向及び前記第２の水平方向のいずれに対しても伸縮自在な伸縮部とからなる、目地用止水継手。
【請求項２】
可撓性及び水密性を有し、前記第３のシート部の前記一方端にその一方端が接続され、前記第３の水平方向と直交する第４の水平方向に伸びると共に、前記第２のシート部の伸びる方向の延長上に位置し、前記第４の水平方向に直交する方向に伸縮自在なシート形状の第４のシート部を更に備え、
前記伸縮部は、前記第４のシート部の接続個所も覆うように水密状態で接続される、請求項１記載の目地用止水継手。
【請求項３】
前記第１のシート部、前記第２のシート部、前記第３のシート部及び前記第４のシート部の各々は、矩形シート形状を有し、その中央部に長手方向に伸びる断面Ｕ字形状に撓んだ凸部が形成されると共に、前記凸部を除いたシート部分のみが互いに接続されるように一体的に形成され、
前記伸縮部は、一面が開放された箱型形状を有し、その側壁の各々の外周縁は前記第１のシート部、前記第２のシート部、前記第３のシート部及び前記第４のシート部の各々の前記凸部及び前記シート部分に沿って接着される、請求項２記載の目地用止水継手。
【請求項４】
前記第１のシート部、前記第２のシート部、前記第３のシート部及び前記第４のシート部の各々は、矩形シート形状を有し、その中央部に長手方向に伸びる断面Ｕ字形状に撓んだ凸部が形成され、
前記伸縮部は、一面が開放された箱型形状を有し、その側壁の各々に前記第１のシート部、前記第２のシート部、前記第３のシート部及び前記第４のシート部の各々の前記凸部が接続すると共に、前記側壁の各々の外周縁に前記第１のシート部、前記第２のシート部、前記第３のシート部及び前記第４のシート部の前記凸部を除いたシート部分の端部が接続し、
前記第１のシート部、前記第２のシート部、前記第３のシート部及び前記第４のシート部の各々と前記伸縮部とは、一体的に形成される、請求項２記載の目地用止水継手。
【請求項５】
凾体において交差する目地部を塞ぐための目地用止水継手であって、
その中央部に開口が形成され、水密性を有すると共に、いずれの方向にも屈曲自在でかつ保形性を有するシート体と、
水密性を有し、前記開口を覆うように前記シート体に水密状態で接続され、前記開口を中心とした前記シート体の変形に対して自在に変形する伸縮体とを備えた、目地用止水継手。
【請求項６】
前記シート体は、平面状に布設され、いずれの方向にも屈曲自在でかつ保形性を有する基材と、水密性及び可撓性を有し、その内部に前記基材が埋設されるシート形状の弾性体とからなり、
前記伸縮体は、水密性及び可撓性を有し、一面が開放された箱型形状を有し、前記一面で前記開口を水密状態で覆うように接続される、請求項５記載の目地用止水継手。
【発明の詳細な説明】
【技術分野】
【０００１】
この発明は目地用止水継手に関し、特に生活用水や工業用水等を貯留する貯水池や浄水池、上下水道の水路等の連続するコンクリート凾体やコンクリート管、落石防止用コンクリートブロック等（以下「凾体」という）の交差する目地の水漏れや土砂の侵入を防止する目地用止水継手に関するものである。
【背景技術】
【０００２】
図８は従来の目地用止水継手の外観形状を表した図であり、図９は図８で示したＩＸ−ＩＸラインの拡大断面図である。
これらの図を参照して、目地用止水継手６１は、天然ゴム等の弾性体により一体成形され、その内部に天然繊維等の応力材が埋設されている。幅方向の中央には、断面逆Ｕ字形状の凸部６６が形成され、その凸部６６の両側には一対のシート体６５ａ，シート体６５ｂが形成されている。また、シート体６５ａ，シート体６５ｂの各々の下面には、下方に突出し、互いに平行に配列された一対の止水突条６７ａ，止水突条６７ｂ及び一対の止水突条６８ａ，止水突条６８ｂが形成されている。
【０００３】
使用時にあっては、対向する凾体６２ａ，凾体６２ｂの間に形成されている目地部６３の上方を覆うように、目地用止水継手６１を矢印の方向に下降させて載置する。この状態で図９の（１）に示されているように、止水突条６７ａ，止水突条６７ｂの間の部分のシート体６５ａと止水突条６８ａ，止水突条６８ｂの間のシート体６５ｂの部分とを、図示しない固定具を用いて凾体６２ａ，凾体６２ｂの各々に対して固定する。このようにして、目地部６３を目地用止水継手６１によってシールする。
【０００４】
次に、地震等によって凾体６２ａ，凾体６２ｂが移動したりずれたりして、目地部６３の間隔が目地用止水継手６１の取付時の状態から変化した場合を想定する。この状態を示したのが図９の（２）である。この例にあっては目地部６３の間隔が広がっているが、その変化を目地用止水継手６１の凸部６６の部分が偏平状態となって吸収することによって、目地部６３からの水漏れ等が防止されている。
【発明の開示】
【発明が解決しようとする課題】
【０００５】
上記のような従来の目地用止水継手では、上述のように平面視で直線状の目地部に対しては特に問題はない。しかし、目地部が平面視において交差しているような場合では、従来の目地用止水継手では目地が大きく開いた場合には充分な止水性能を発揮できるとは言えない。
図１０はこのような平面視十字形状の目地部に対して用いられる、目地用止水継手の外観形状を示した斜視図である。
【０００６】
図を参照して、四つの凾体６２ａ〜凾体６２ｄの各々が、平面状態において突き合わされるように配置されている。そしてこれらの凾体同士によって形成されている目地部６３ａ〜目地部６３ｄは、平面視において十字形状を有している。
【０００７】
一方、このような十字形状の目地部に対応する目地用止水継手７０は、その中央部から水平方向で互いに直交する方向に伸びる第１のシート部７２、第２のシート部７４、第３のシート部７６及び第４のシート部７８とから形成されている。第１のシート部７２は矩形シート形状を有し、その中央部には長手方向に伸びる断面逆Ｕ字形状の第１の凸部７３が形成されている、同様に、第２のシート部７４に対しては第２の凸部７５が、第３のシート部７６に対しては第３の凸部７７が、第４のシート部７８に対しては第４の凸部７９が形成されている。そして、これらのシート部は、その中央部で互いに突き合わされた状態で接続されるように一体成形されている。
【０００８】
使用時にあっては、目地用止水継手７０の中央部を凾体６２ａ〜目地部６３ｄの交差点上に位置するように配置すると共に、第１の凸部７３、第２の凸部７５、第３の凸部７７及び第４の凸部７９の形成方向が、目地部６３ａ〜目地部６３ｄの各々に対応する位置となるように凾体６２ａ〜凾体６２ｔの上に設置する。この状態で上述のように図示しない固定具を用いて、目地用止水継手７０を凾体６２に固定することによって取付が完了する。
【０００９】
ところが、このような目地用止水継手では、第１の凸部７３、第２の凸部７５、第３の凸部７７及び第４の凸部７９の各々の端部は、目地用止水継手７０の中央部で互いに直接的に接続されている。そのため、目地部６３ａ〜目地部６３ｄの各々の間隔が広がるように凾体６２が移動したような場合、その変化に目地用止水継手７０は充分追随することができない。例えば、目地部６３ａ及び目地部６３ｃの間隔が広がって場合を想定する。この場合、目地用止水継手７０の第１の凸部７３及び第３の凸部７７は容易に扁平するように変化するが、これらに直交する第２の凸部７５および第４の凸部７９は、その軸方向には容易に変形しないことになる。すなわち、第１の凸部７３及び第３の凸部７７の中央部の接続部分は、目地が大きく開いた場合には十分に変形できないことを意味する。そのため、目地用止水継手７０のシール性が低下して、目地部からの水漏れ等が生じてしまう虞がある。
【００１０】
この発明は上記のような課題を解決するためになされたもので、凾体の交差する目地部に対しても止水性能が低下しない目地用止水継手を提供することを目的とする。
【課題を解決するための手段】
【００１１】
上記の目的を達成するために、請求項１記載の発明は、凾体において交差する目地部を塞ぐための目地用止水継手であって、可撓性及び水密性を有し、第１の水平方向に伸びると共に、第１の水平方向に直交する水平方向に伸縮自在なシート形状の第１のシート部と、可撓性及び水密性を有し、第１のシート部の一方端にその一方端が接続され、第１の水平方向とは直交する第２の水平方向に伸びると共に、第２の水平方向に直交する水平方向に伸縮自在なシート形状の第２のシート部と、可撓性及び水密性を有し、第２のシート部の一方端にその一方端が接続され、第２の水平方向と直交する第３の水平方向に伸びると共に、第１のシート部の伸びる方向の延長上に位置し、前記第３の水平方向に直交する方向に伸縮自在なシート形状の第３のシート部と、可撓性及び精密性を有し、第１のシート部、第２のシート部及び第３のシート部の各々の接続個所を覆うようにこれらに水密状態で接続され、第１の水平方向及び第２の水平方向のいずれに対しても伸縮自在な伸縮部とからなるものである。
【００１２】
このように構成すると、Ｔ型に交差している目地部の間隔が変化しても、伸縮部がその変化を吸収する。
【００１３】
請求項２記載の発明は、請求項１記載の発明の構成において、可撓性及び水密性を有し、第３のシート部の一方端にその一方端が接続され、第３の水平方向と直交する第４の水平方向に伸びると共に、第２のシート部の伸びる方向の延長上に位置し、第４の水平方向に直交する方向に伸縮自在なシート形状の第４のシート部をさらに備え、伸縮部は第４のシート部の接続個所も覆うように水密状態で接続されるものである。
【００１４】
このように構成すると、十字型に交差している目地部の間隔が変化しても、伸縮部がその変化を吸収する。
【００１５】
請求項３記載の発明は、請求項２記載の発明の構成において、第１のシート部、第２のシート部、第３のシート部及び第４のシート部の各々は、矩形シート形状を有し、その中央部に長手方向に伸びる断面Ｕ字形状に撓んだ凸部が形成されると共に、凸部を除いたシート部分のみが互いに接続されるように一体的に形成され、伸縮部は、一面が解放された箱型形状を有し、その側壁の各々の外周縁は、第１のシート部、第２のシート部、第３のシート部及び第４のシート部の各々の凸部及びシート部分に沿って接着されるものである。
【００１６】
このように構成すると、一体成形されたシート部に接着された伸縮部が目地部の間隔の変化を吸収する。
【００１７】
請求項４記載の発明は、請求項２記載の発明の構成において、第１のシート部、第２のシート部、第３のシート部及び第４のシート部の各々は、矩形シート形状を有し、その中央部に長手方向に伸びる断面Ｕ字形状に撓んだ凸部が形成され、伸縮部は、一面が開放された箱型形状を有し、その側壁の各々に第１のシート部、第２のシート部、第３のシート部及び第４のシート部の各々の凸部が接続すると共に、側壁の各々の外周縁に第１のシート部、第２のシート部、第３のシート部及び第４のシート部の凸部を除いたシート部分の端部が接続し、第１のシート部、第２のシート部、第３のシート部及び第４のシート部の各々と伸縮部とは、一体的に形成されるものである。
【００１８】
このように構成すると、シート部の各々と伸縮部とは一体成形される。
【００１９】
請求項５記載の発明は、凾体において交差する目地部を塞ぐための目地用止水継手であって、その中央部に開口が形成され、水密性を有すると共に、いずれの方向にも屈曲自在でかつ保形性を有するシート体と、水密性を有し、開口を覆うようにシート体に水密状態で接続され、開口を中心としたシート体の変形に対して自在に変形する伸縮体とを備えたものである。
【００２０】
このように構成すると、伸縮体による水密状態を保持した状態でシート体は自在に変形する。
【００２１】
請求項６記載の発明は、請求項５記載の発明の構成において、シート体は平面状に布設され、いずれの方向にも屈曲自在でかつ保形性を有する基材と、水密性及び可撓性を有し、その内部に基材が埋設されるシート形状の弾性体とからなり、伸縮体は、水密性及び可撓性を有し、一面が解放された箱型形状を有し、一面で開口を水密状態で覆うように接続されるものである。
【００２２】
このように構成すると、シート体の変形状態が安定すると共に、伸縮体の取付が容易となる。
【発明の効果】
【００２３】
以上説明したように、請求項１記載の発明は、Ｔ型に交差する目地部の間隔が変化してもその変化が吸収されるので、地震等によって凾体の位置がずれても止水性能が低下しない。
【００２４】
請求項２記載の発明は、請求項１記載の発明の効果に加えて、十字型に交差している目地部の間隔が変化しても、伸縮部がその変化を吸収するので、地震等によって凾体の位置がずれても止水性能が低下しない。
【００２５】
請求項３記載の発明は、請求項２記載の発明の効果に加えて、シート部に接着された伸縮部が目地部の間隔の変化を吸収するため、既存のシート部を加工してこれに伸縮部を付加することによって効率的な止水継手を得ることが可能となる。
【００２６】
請求項４記載の発明は、請求項２記載の発明の効果に加えて、シート部の各々と伸縮部とは一体成形されるため、止水継手としての取扱いが容易となり使い勝手が向上する。
【００２７】
請求項５記載の発明は、伸縮体による水密状態を保持した状態で、シート体は自在に変形するため、目地の配置状態に合わせて開口を中心に自在にその形状を変化させることができるため、使い勝手が向上する。
【００２８】
請求項６記載の発明は、請求項５記載の発明の効果に加えて、シート体の変形状態が安定すると共に伸縮体の取付が容易となるため、信頼性の高い止水継手となる。
【発明を実施するための最良の形態】
【００２９】
図１はこの発明の第１の実施の形態による目地用止水継手の組立て前の外観形状を示した分解斜視図であり、図２は図１の状態から組立てた状態の目地用止水継手の外観形状を示した斜視図である。
【００３０】
これらの図を参照して、目地用止水継手１３はシート体１５と箱体１６とから構成されている。シート体１５は図１０の従来例で示した目地用止水継手７０と基本的な構成は同一であるが、その中央部の構造が明確に異なっている。すなわち、第１のシート部１８に形成されている第１の凸部１９、第２のシート部２０に形成されている第２の凸部２１、第３のシート部２２に形成されている第３の凸部２３及び第４のシート部２４に形成されている第４の凸部２５は、その中央部では互いに突き合わされたように接続されてはおらず、所定間隔が空いた状態でこれらは形成されている。これに対応して、その中央部にはほぼ正方形形状の開口２７が形成されている。尚、第１のシート部１８及び第１の凸部１９等は天然ゴム等の可撓性及び水密性を有する材料よりなり、シート体１５は全体として一体成形されている。
【００３１】
一方、箱体１６は天然ゴム等の可撓性及び水密性を有する材料により形成され、下方面が開放された箱型形状を有している。すなわち、正方形シート形状の底部２８と、底部２８の外縁から鉛直下方向に伸びる矩形シート形状の側壁部２９ａ〜側壁部２９ｄと、側壁部２９ａ〜側壁部２９ｄの下方端縁から水平方向に外方に向けて延長される矩形シート形状のフランジ部３０ａ〜フランジ部３０ｄとから構成されている。
【００３２】
組立てに際しては、箱体１６をシート体１５の中央部に対して降下させ、シート体１５の中央部の形状に沿わせるように箱体１６を変形させてこれらを例えば接着剤にて接着する。具体的には、第１のシート部１８の第１の凸部１９の中央部側の端部に対しては箱体１６の側壁部２９ａを変形させながらフランジ部３０ａをその外面に沿わせるように変形させ、フランジ部３０ａの両端部を第１のシート部１８の上面に接するように変形させる。同様に第２の凸部２１、第３の凸部２３及び第４の凸部２５に対しても、対応する箱体１６の側壁部２９及びフランジ部３０を変形させることによってこれらを密着状態に接着する。図２はこのようして箱体１６をシート体１５に取付けられた目地用止水継手１３の外観形状を示している。
【００３３】
図３は図２で示したＩＩＩ−ＩＩＩラインの拡大断面図に対応し、十字形状の目地部を構成する凾体の上に図２で示した目地用止水継手を取付けた状態を示した断面図ある。
【００３４】
図３の（１）を参照して、第１の凸部１９の中央部側の端部にフランジ部３０ａが接着されており、フランジ部３０ａに接続する側壁部２９ａはこの取付けによって大きく撓んだ状態になっている。同様に第３の凸部２３の中央部側端部にはフランジ部３０ｃが接着され、同様に側壁部２９ｃは大きく撓んだ状態で取付られている。この側壁部２９ａ及び側壁部２９ｃの変形に伴って、箱体１６の底部２８も図のように変形する。尚、第２の凸部２１の中央部と第４の凸部２５の中央部に対する箱体１６の取り付け状態も図３の（１）と同様である。そして第１の凸部１９と第３の凸部２３とは、その中央部では互いに接続されていない。そのため、図ではそれらの間には、第４の凸部２５の中央側の端部が表れた状態となっている。この状態で地震等によって凾体３２ａと凾体３２ｂとが移動して、目地部３３の間隔が箱体１６の設置時におけるものより開いた状態になったと想定する。
【００３５】
図３の（２）はこのような状態を示した断面図である。
【００３６】
図を参照して、凾体３２ａ及び凾体３２ｂが矢印の方向に移動すると、それに伴って目地部３３の間隔は拡大する。ところが第１の凸部１９と第３の凸部２３とは上述のように互いに接続されていないため、これらが固定されている凾体３２ａ及び凾体３２ｂの各々の移動に伴って互いに離れる方向にスムーズに移動する。
【００３７】
一方、フランジ部３０ａを介して第１の凸部１９に接続されている側壁部２９ａは取付時において大きく撓んだ状態となっているため、第１の凸部１９の移動に伴って変形状態が若干変わるだけでスムーズにこれに追従する。同様に第３の凸部２３にフランジ部３０ｃを介して接続されている側壁部２９ｃも、スムーズに追従することになる。このため箱体１６に対しては過度な変形が生じず、そのシール性は低下することなく維持される。この例にあっては、凾体３２ａと凾体３２ｂとが離れる方向に移動した場合を想定したが、これらに直交するような方向に凾体が移動した場合であっても、同様にその変化は箱体１６の変形によって充分吸収されることになる。又、十字形状の目地部の間隔が同時に全て開くような凾体の移動が生じた場合であっても、箱体１６の側壁部２９の湾曲形状によってその移動を容易に吸収することが可能となる。
【００３８】
図４はこの発明の第２の実施の形態による目地用止水継手の外観形状を示した概略斜視図である。
【００３９】
図を参照して、この実施の形態にあっては、先の実施の形態とは異なり、目地用止水継手１３は一体成形により形成されている。具体的には、中央部には伸縮部となる箱体３５が形成され、箱体３５を構成するドーム状の天井部３６の外周縁に接続する側壁部３７の各々に、第１のシート部１８の第１の凸部１９、第２のシート部２０の第２の凸部２１、第３のシート部２２の第３の凸部２３及び第４のシート部２４の第４の凸部２５が突き合わされたように接続されている。そして側壁部３７の下方端縁には第１のシート部１８、第２のシート部２０、第３のシート部２２及び第４のシート部２４が一体的に接続されている。
【００４０】
箱体３５の天井部３６はドーム状に形成されているため、凾体の移動に伴なって例えば第１のシート部１８と第３のシート部２２とが互いに離れる方向に移動したような場合には、側壁部３７を介して天井部３６は平面形状に変形することによってその移動を吸収する。同様に第２のシート部２０と第４のシート部２４とが離れるように移動した場合であっても、同様に天井部３６の変形によってその移動が吸収される。このようにして箱体３５は、シート体を構成するシート部及び凸部のあらゆる方向に対する移動に対してもその移動による変形を吸収することが可能となる。
【００４１】
尚、この目地用止水継手１３にあっては、箱体３５は接着部分がないため、止水性能としての信頼性をより高めると共に、止水継手としての取扱いが容易となる。
【００４２】
図５はこの発明の第３の実施の形態による目地用止水継手の外観形状を示した図であり、図６は図５で示したシート体の一部を取出してこれを一部破断状態で示した概略斜視図である。
【００４３】
これらの図を参照して、シート体３９は正方形シート形状からその４隅が四角形状に切り欠かれた切欠部４０ａ〜切欠部４０ｄを有する形状となっている。シート体３９は、具体的には、ステンレス線材よりなり一方向に所定間隔で平行に配列された第１の線材４６と、同様のステンレス線材よりなり第１の線材４６の配列方向とは直交する方向に所定間隔で配列された第２の線材４７とからなる網目形状をなす基材４４と、基材４４がその中央部に埋設されるように形成された例えば合成ゴム等からなる弾性体４５とから構成されている。これによってシート体３９はいずれの方向にも屈曲可能に構成されている。そして、その内部に基材４４が埋設されているため、屈曲後の形状が維持される、いわゆる保形性を有するシート体３９となる。これによってシート体３９は所定の形状に変形することが可能になると共に、その変形状態が保持されることになる。
【００４４】
図５に戻って、シート体３９の中央部には正方形形状の開口４１が形成されており、開口４１を塞ぐように下方が開放状態の箱型形状の箱体４２によって開口４１を塞ぐように水密状態で取付られている。
【００４５】
図７の（１）は図５で示したＶＩＩ−ＶＩＩラインの拡大断面図である。
【００４６】
図を参照して、箱体４２は正方形シート形状の底部４９と、底部４９の外周縁から下方に伸びる側壁部５０と、側壁部５０の下方端縁から外方に水平方向に伸びるフランジ部５１とから構成されている。尚、箱体４２は合成ゴム等の可撓性及び水密性を有する材料より形成されている。そして開口４１の周辺のシート体３９の部分の上面に箱体４２のフランジ部５１が密着するように接着されており、水密性を維持する。
【００４７】
次に、このように構成されたシート体３９と箱体４２とからなる目地用止水継手１３を使用する場合について説明する。
【００４８】
使用に際しては、例えば図５において縦方向に伸びる２本の二点鎖線の位置を基準としてその間の部分を上方に盛り上げるようにシート体３９を変形させる。この状態を示したのが図７の（２）の拡大断面図である。
【００４９】
図を参照して、箱体４２の両側に位置するシート体３９の部分を矢印の方向に寄せるように変形させて上方に凸形状となるように凸部５２を形成する。シート体３９は上述のように屈曲可能で且つ保形性を有するように構成されているため、凸部５２が形成された状態が保持されることになる。この変形に伴いシート体３９の上面に接着されている箱体４２のフランジ部５１ａ，フランジ部５１ｂは、互いに近づくように移動することになる。この移動に伴って箱体４２を構成する側壁部５０ａ，側壁部５０ｂも内方に撓むように変形する。そして凸部５２の形成に伴い、これに接続されている箱体４２の側壁部５０ｃも凸部５２の上面に沿うように変形することになる。このように箱体４２は変形してもフランジ部５１は全周シート体３９の上面に接着されているため、開口４１に対するシート体３９の止水性能が低下する虞はない。
【００５０】
次に、図５において横方向に形成されている二点鎖線の位置を基準としてその間の部分を上記と同様にその部分が上方に凸形状となるようにシート体３９を変形させる。このようにシート体３９を変形させた場合であっても、箱体４２の側壁部５０及びフランジ部５１はこの変形に追随するため、箱体４２による止水性能が低下する虞はない。尚、このような変形によって凸部が上下及び左右に交差する関係になるが、その交差点となる中央部には開口４１が形成されているため、これらの変形は互いに緩衝されることなく容易に行うことが可能となる。
【００５１】
使用に際しては、このように上下方向及び水平方向に凸部を形成した状態で、該当する十字形状の目地部の上にシート体３９を設置した後、固定具を用いて対応する凾体に固定する。地震等によって目地部の間隔が広がるように凾体が移動した場合には、図７の（２）に示された状態から図７の（１）に示された状態にシート体３９は変形することになる。この変形はシート体３９にとっては、元の変形前の状態に戻ろうとすることになり、凾体の移動に伴う目地部の拡大に対してその吸収が極めてスムーズに行われることになる。
【００５２】
又、この実施の形態においては、箱体４２は平板状態のシート体３９に対して取付ることができるため、フランジ部５１を介しての接着が容易となり、その止水効果の信頼性が向上する。
【００５３】
尚、上記の各実施の形態では、十字形状の目地部を対象としているが、Ｔ字形状の目地部に対しても同様に適用できる。この場合、第１及び第２の実施の形態に対応するものとして、シート部は３方向にのみ伸びるように構成し、伸縮部としての箱体は同様の形状のものを採用すれば良い。
【００５４】
又、上記の第１の実施の形態では、伸縮部としての箱体はフランジ部を有しているが、これは必ずしも必要なものではなく側壁部の下方端縁を直接シート部や凸部に接続するように構成しても良い。尚、伸縮部は必ずしも箱型形状でなくても良く、シート部等の交差部分を水密状態で覆えるような形状であれば他の形状でも良い。
【００５５】
更に、上記の第１及び第２の実施の形態では、シート部は矩形シート形状を有しているが、このシート形状は矩形以外の形状であっても良い。
【００５６】
更に、上記の各実施の形態では、箱体は凸部と共に上面に形成されているが、凾体の目地部の上方により大きな凹部を形成しておき、箱体及び凸部を下面側に形成してその凹部に収容した状態で使用するようにしても良い。
【００５７】
更に、上記の第３の実施の形態では、網目状の基材によってシート体の保形性を発揮しているが、金属板等の他の保形性を発揮する基材を埋設するようにシート体を構成しても良い。
【００５８】
更に、上記の各実施の形態では、継手を構成する可撓性及び水密性を有する材料として天然ゴムを用いているが、これらの特性を有するものであれば、合成ゴム、合成樹脂等の他の材料を用いても同様の効果を奏する。
【００５９】
更に、上記の各実施の形態では、貯水池等に用いられるコンクリート凾体の底面や壁面の目地の止水を対象としているが、落石防止用のコンクリートブロック等の壁面の目地を対象として土砂等の侵入を防止するように用いても良い事は言うまでもない。
【図面の簡単な説明】
【００６０】
【図１】この発明の第１の実施の形態による目地用止水継手の組立て前の状態を示した斜視図である。
【図２】図１で示した目地用止水継手の組立て後の状態を示した斜視図である。
【図３】図２で示したＩＩＩ−ＩＩＩラインの拡大断面図である。
【図４】この発明の第２の実施の形態による目地用止水継手の外観形状を示した斜視図である。
【図５】この発明の第３の実施の形態による目地用止水継手の外観形状を示した平面図である。
【図６】図５で示したシート体の一部を取出して、これを一部破断した状態で示した概略斜視図である。
【図７】図５で示したＶＩＩ−ＶＩＩラインの拡大断面図である。
【図８】従来の目地用止水継手の取付状態を示した分解斜視図である。
【図９】図８で示したＩＸ−ＩＸラインの拡大断面図である。
【図１０】従来の十字形状の目地部に使用される目地用止水継手の取付状態を示した分解斜視図である。
【符号の説明】
【００６１】
１３…目地用止水継手
１５，３９…シート体
１６，３５，４２…箱体
１８…第１のシート部
１９…第１の凸部
２０…第２のシート部
２１…第２の凸部
２２…第３のシート部
２３…第３の凸部
２４…第４のシート部
２５…第４の凸部
３３…目地部
４１…開口
尚、各図中同一符号は同一又は相当部分を示す。
【図１】
2005133453.tif 000003
【図２】
2005133453.tif 000004
【図３】
2005133453.tif 000005
【図４】
2005133453.tif 000006
【図５】
2005133453.tif 000007
【図６】
2005133453.tif 000008
【図７】
2005133453.tif 000009
【図８】
2005133453.tif 000010
【図９】
2005133453.tif 000011
【図１０】
2005133453.tif 000012